(57)【特許請求の範囲】
【請求項１】
薬剤供給装置であって、
対向する近位端部および遠位端部を有する管状ハウジング（２０）と、
管状ハウジング（２０）内に摺動可能および同軸に配置され、近位環状接触部材（３１）を含む管状起動部材（３０）と、
前記管状起動部材（３０）の遠位端部に配置され、前記管状起動部材を起動されない位置から近位方向に起動位置まで移動させるための第１の弾性部材（３４）とを備え、
前記近位環状接触部材は、前記管状起動部材が前記起動されない位置にあるときには前記管状ハウジング（２０）の近位端部に接し、前記管状起動部材が前記起動位置にあるときには前記管状ハウジングの近位端部から所定の距離離れた位置にあり、さらに
前記管状起動部材（３０）内に同軸に配置され、前記管状ハウジング（２０）に固定的に取付けられる容器ホルダ（５０）と、
前記容器ホルダ（５０）内に配置されるとともに、摺動可能なストッパ（８３）を収納する薬剤容器（８０）と、
前記容器ホルダ（５０）と前記管状ハウジング（２０）の遠位端部における管状延長部（２２）との間で回転可能に配置され、前記管状起動部材（３０）の対応する第１の共同作用手段に相互作用的に接続される第１の共同作用手段を含む管状作動部材（１００）と、
プランジャーロッド（９０）および第２の弾性部材（９１）とを備え、前記プランジャーロッドの近位端部は前記ストッパ（８３）に接し、前記プランジャーロッドは前記管状作動部材（１００）の対応する第２の共同作用手段に相互作用的に接続される第２の共同作用手段を含み、さらに
供給部材を備え、
前記薬剤容器（８０）は膜（８２）を有するカートリッジであり、前記供給部材は、前記容器ホルダに固定的に接続される保持部材（７０）、保持部材内に同軸に移動可能なハブ（６０）、対向する近位端部および遠位端部を有し、かつ前記ハブに固定的に取付けられる針、ならびに前記ハブおよび前記保持部材に相互作用的に接続されるキャップ（１０）を含み、該キャップは前記環状接触部材の近位端面に当接する遠位端面を含み、前記キャップが手で操作されると、前記ハブは遠位に動かされ、それにより前記針の遠位端部は前記膜を刺通し、前記キャップは前記保持部材から外れ、前記管状起動部材は、前記第１の弾性部材からの力によって、前記起動されない位置から前記起動位置に動かされる、薬剤供給装置。
【請求項２】
前記第１の共同作用手段は、前記管状起動部材（３０）の内面の遠位端部上の少なくとも１つの内側に延在する突出部（３５）と前記管状作動部材（１００）の外面上の少なくとも１つの溝とであり、前記半径方向内側に延在する突出部（３５）は少なくとも１つの溝内に案内されるよう適合され、前記管状起動部材が軸方向に動かされると、前記管状作動部材（１００）を回転させる、請求項１に記載の薬剤供給装置。
【請求項３】
前記第２の共同作用手段は、前記管状作動部材（１００）の内面上の少なくとも１つの張り出し部（１０６）と、プランジャーロッド（９０）の外面上の少なくとも１つの突出部（９２）とであり、前記少なくとも１つの突出部（９２）は前記少なくとも１つの張り出し部（１０６）に当接して、前記プランジャーロッドおよび前記第２の弾性部材を予め張力がかけられた状態に保持する、請求項１または２に記載の薬剤供給装置。
【請求項４】
前記管状起動部材（３０）に相互作用的に接続されるロッキング手段をさらに備える、請求項１に記載の薬剤供給装置。
【請求項５】
前記ロッキング手段は、前記管状作動部材（１００）の少なくとも１つの溝上の柔軟なタング（１０４）であり、前記半径方向内側に延在する突出部（３５）がタング（１０４）上に移動させられると、半径方向内側に延在する突出部（３５）はロックされる、請求項４に記載の薬剤供給装置。
【請求項６】
前記ハブ（６０）は、前記保持部材（７０）の対応する第１の結合手段（７１）と相互作用的に接続される第１の結合手段（６３）と、前記キャップ（１０）の対応する第２の結合手段（１２）と相互作用的に接続される第２の結合手段（６２）とを含む、請求項１から５のいずれかに記載の薬剤供給装置。
【請求項７】
前記キャップ（１０）は、前記保持部材（７０）の対応する第３の結合手段（７３）に相互作用的に接続される第３の結合手段（１３）をさらに含む、請求項６に記載の薬剤供給装置。
【発明の詳細な説明】
【技術分野】
【０００１】
本発明は薬剤供給装置、特に供給部材の取扱についての無菌性の局面が改良され、装置の取扱が容易となった装置に関する。
【背景技術】
【０００２】
多くの薬剤供給装置は自己投与するために、すなわちユーザが自分で供給を行なうために、開発されている。これにより、安全でありかつできるだけ扱いやすい供給装置が必要となる。
【０００３】
このような要求を満たすために、人為的エラーのリスクを最小限にし、ある投量を受けるために行なわなければならない動作の数を減らし、装置は使用するのに直感的かつ人間工学的でなければならない。
【０００４】
人為的エラーのリスクを最小限にするためには、装置はできるだけ事前に組立てられていることが望ましい。
【０００５】
装置をできるだけ事前に組立てられるようにする１つの方策は、針やノズルなどの供給部材を予め装着して、薬剤注入装置を提供することである。この方策は、供給部材の後ろ端部が容器の内部に突き出ることを引起し、これは薬剤が供給部材の材料とある時間接触すると反応する場合には欠点となる。この点について、供給部材の後ろ部分は、提供されれるまで、容器の外側にあることが望ましい。
【０００６】
ＷＯ  ２００９／１５００７８  Ａ１は、装置を使用する意図があってからカートリッジが注射によって刺通される注射装置を開示している。針はハブによって同軸に保持され、針がハブに対して近位および遠位方向の両方に延在する。ハブは保持部材に対して、軸方向に可動な態様で、かつ相互作用的に接続される。キャップは保持部材に相互作用的に接続され、ハブの外周上の溝と相互作用的に接続される突出部を有し、キャップが手で操作されると、針の遠位端部が容器を刺通するよう、ハブを遠位方向に動かす。
【０００７】
注射を行なうために必要な動作の数を減らすために、一部の装置はボタンなどを押すことにより注入をする必要はなく、注射領域に対して押さえつけるだけでよく、それにより針は注射領域を刺通し、装置は注入を行なう。したがって、供給プロシージャは少なくとも１工程減らされる。
【０００８】
このような装置は特許文献ＥＰ  １３４９５９０  Ｂに開示されており、注射器の取扱を容易にするいくつかの特徴を有する注射器が記載されている。刺通および注入は、針シールドの近位端部を供給領域に対して簡単に押し当てることにより行なわれ、シールドを遠位方向に移動させ、それにより、針が注射領域を刺通してその後注入工程が開始させられる。注入が行なわれる場合、インジェクタは引上げられ、それにより針シールドはロックされた態様で針の周りに抜取られる。
【０００９】
注射器の別の局面は、操作の際にどのように保持されるかについて、注入装置を取扱う人間側の局面にある。主な狙いは、患者が刺通および注入を、体の異なる場所、たとえば、患者の胴の周り、胴の後ろ側および／またはお尻で行なうことができるよう、患者が注射器を人間工学的な態様で持てるようにすることである。患者はこれらの場所では注射器を視認することができず、グリップを変えることなく注射器を持つことができなければならない。ボタンなどを押す操作がなくなることにより、患者は望むように装置を持つことができ、快適性を感じることができる。
【００１０】
しかし、ＥＰ  １３４９５９０にあるような、針シールドで起動する装置での欠点は、注入筒を使わなければならないことである。なぜなら、起動されたシールドは供給部材を被覆し、供給部材の挿入を妨げるからである。注入筒を必要とすることは不利である。なぜなら、注入筒はカートリッジと比べてより高価であり、扱うのが難しいからである。
【発明の概要】
【発明が解決しようとする課題】
【００１１】
本発明の目的は、供給部材を扱い、装置を起動させる場合に、確実でありかつ使用するのが容易である薬剤注入装置を提供することである。
【課題を解決するための手段】
【００１２】
この目的は、請求項に記載の特徴によって得られる。
本発明の主要な局面に従い、薬剤供給装置は、対向する近位端部および遠位端部を有する管状ハウジングと、管状ハウジング内に摺動可能および同軸に配置され、近位環状接触部材を含む管状起動部材と、管状起動部材の遠位端部に配置され、管状起動部材を起動されてない位置から近位方向に移動させるための第１の弾性部材とを備え、環状接触部材はハウジングの近位端部に接して起動位置にあり、環状接触部材はハウジングの近位端部から所定の距離にあり、さらに、管状起動部材内に同軸に配置されかつ管状ハウジングに固定的に取付けられる容器ホルダと、摺動可能なストッパを収納する前記容器ホルダ内に配置される薬剤容器と、容器ホルダとハウジングの遠位端部において管状延長部との間で回転可能に配置され、管状起動部材の対応する第１の共同作用手段に相互作用的に接続される第１の共同作用手段を含む管状作動部材と、プランジャーロッドおよび第２の弾性部材とを備え、前記プランジャーロッドの近位端部はストッパに接し、管状作動部材の対応する第２の共同作用手段に相互作用的に接続される第２の共同作用手段を含み、さらに供給部材を備え、容器は膜を有するカートリッジであり、供給部材は、容器ホルダに固定的に接続される保持部材、保持部材内で同軸に移動可能なハブ、対向する近位端部および遠位端部を有しかつハブに固定的に取付けられる針、ならびにハブおよび保持部材に相互作用的に接続されるキャップを含み、キャップは環状接触部材の近位端面と当接する遠位端面を含み、前記キャップが手で操作されると、ハブは遠位に動かされ、それにより針の遠位端部は膜を刺通し、キャップは保持部材から外れ、管状起動部材は第１の弾性部材からの力によって、起動されない位置から起動される位置に動かされる。
【００１３】
本発明の他の局面に従い、第１の共同作用手段は、管状起動部材の内面の遠位端部上の少なくとも１つの内側に延在する突出部と、管状作動部材の外面上の少なくとも１つの溝とであり、前記半径方向内側に延在する突出部は少なくとも１つの溝内に案内されるよう適合され、管状起動部材が軸方向に動かされると、管状作動部材を回転させる。
【００１４】
本発明のさらに別の局面に従い、第２の共同作用手段は、管状作動部材の内面上の少なくとも１つの張り出し部と、プランジャーロッドの外面上の少なくとも１つの突出部とであり、前記少なくとも１つの突出部は前記少なくとも１つの張り出し部に当接して、プランジャーロッドおよび第２の弾性部材を予め張力をかけられた状態に保持する。
【００１５】
本発明のさらなる局面に従い、装置は管状起動部材に相互作用的に接続されるロッキング手段をさらに備える。
【００１６】
本発明のさらに他の局面に従い、ロッキング手段は管状作動部材の少なくとも１つの溝上の柔軟なタングであり、前記半径方向内側に延在する突出部がタング上に移動させられると、半径方向内側に延在する突出部はロックされる。
【００１７】
本発明の別の局面に従い、ハブは保持部材の対応する第１の結合手段に相互作用的に接続される第１の結合手段と、キャップの対応する第２の結合手段に相互作用的に接続される第２の結合手段とを含む。
【００１８】
本発明のさらに他の局面に従い、キャップは保持部材の対応する第３の結合手段に相互作用的に接続される第３の結合手段をさらに含む。
【００１９】
本発明に係る装置はいくつかの利点を呈する。
装置を予め組立てることにより、針は初期状態では膜を刺通せず、薬剤と供給部材の材料とがある時間接触するとその間の反応に伴って起こり得る不必要な問題を避けることができる。
【００２０】
機能性および自動化が高められ、薬剤を注入するための不必要な操作がなくなる。なぜなら、刺通および注入の両方を含むインジェクタの起動は、インジェクタを注入部位に対して押し当てた場合に、針シールドによって可能となるからである。これにより、針シールドは遠位方向に摺動し、それにより、針は注入部位を刺通し、薬剤は注入部位において自動的に注入される。
【００２１】
重要な安全上の局面が満たされる。なぜなら、引き抜きの際、針シールドは押出されて針を被覆し、さらに伸張状態でロックされるので、意図されない針の挿入を防ぐ。
【００２２】
さらに、注入筒の代わりにカートリッジを用いることができる。カートリッジはより安価であり、充填を予め行なう会社からより容易に入手することができるので、カートリッジの使用が好ましい。
【００２３】
信頼性のあるおよび機能的なインジェクタが提供され、針シールドはユーザに提供される際には圧縮バネによって張力をかけた状態で保持され、注入するためにインジェクタを準備するのに、保護キャップを取除くこと以外には、さらなる操作は不要である。
【００２４】
本発明の上記および他の局面ならびに利点は、以下の詳細な説明および添付の図面から明らかとなる。
【００２５】
本発明の詳細な説明において、添付の図面が参照される。
【図面の簡単な説明】
【００２６】
【図１】キャップを有する薬剤注入装置の初期の起動されていない状態を示す図である。
【図２】薬剤注入装置の起動された状態を示し、キャップが外された図である。
【図３】薬剤注入装置の刺通および注入状態を示す図である。
【図４】管状ハウジングの断面図である。
【図５】遠位端部から見たキャップの斜視図である。
【図６】本発明に係る、キャップおよびハブの斜視図である。
【図７】薬剤供給装置の近位部分の初期状態の断面図である。
【図８ａ】本発明に係る薬剤供給装置の内部の断面図であって、その初期状態からロックされた状態を示す図である。
【図８ｂ】本発明に係る薬剤供給装置の内部の断面図であって、その初期状態からロックされた状態を示す図である。
【図８ｃ】本発明に係る薬剤供給装置の内部の断面図であって、その初期状態からロックされた状態を示す図である。
【図９】本発明に含まれる駆動手段の分解図である。
【図１０】本発明に含まれる管状作動部材の斜視図である。
【図１１】本発明に含まれる管状作動部材およびプランジャーロッドの斜視図である。
【図１２】本発明に含まれる管状起動部材の斜視図である。
【図１３】本発明に含まれる保持部材の斜視図である。
【図１４】本発明に含まれる容器ホルダの詳細な図である。
【発明を実施するための形態】
【００２７】
発明の詳細な説明
本願において、「遠位部／端部」の用語が用いられた場合、これは薬剤注入装置の部分／端部、またはその部材の部分／端部を指すものであり、これ／これらは患者の注入部位から最も遠い位置にある。これに対応して、「近位部／端部」の用語が用いられた場合、これは薬剤注入装置の部分／端部またはその部材の部分／端部を指すものであり、これ／これらは患者の薬剤注入場所から最も近い位置にある。
【００２８】
図１から図３は、本発明に係る薬剤注入装置１の簡略斜視図であり、図１はキャップ１０を有する薬剤注入装置の初期の起動されていない状態を示し、図２はキャップが外された薬剤注入装置の起動された状態を示し、図３は薬剤注入装置の刺通および注入状態を示す。
【００２９】
図１から図３を参照して、薬剤供給装置１は、対向する近位端部および遠位端部を有する管状ハウジング２０と、管状ハウジング２０内に摺動可能および同軸に配置され、近位環状接触部材３１を有する管状起動部材３０と、管状起動部材３０の遠位端部に配置され、管状起動部材を、環状接触部材３１がハウジング２０の環状近位端部と接する起動されない位置から、環状接触部材３１はハウジング３０の環状近位端部から所定の離れた距離にある起動位置まで、近位方向に移動させるための第１の弾性部材３４（図９参照）とを含む。
【００３０】
薬剤供給装置１はさらに、管状起動部材３０内に同軸に配置され、ハウジング２０内において対応する開口２４を通って突き出る半径方向の延長部５１を介して管状ハウジング２０と固定的に取付けられる容器ホルダ５０と、ホルダ５０内に配置され、摺動可能なストッパ８３（図８ａから図８ｃ参照）を収納する薬剤容器８０と、管状起動部材３０の対応する第１の共同作用手段と相互作用的に接続される第１の共同作用手段を含む管状作動部材１００と、管状作動部材の対応する第２の共同作用手段と相互作用的に接続される第２の共同作用手段を含む駆動手段と、供給部材とを含む。
【００３１】
薬剤容器は、膜８２を有するカートリッジである（図７、および図８ａから図８ｃ参照）。
【００３２】
供給部材は、容器ホルダ５０に固定的に接続される保持部材７０（図７および図１３参照）と、保持部材７０内において同軸に可動なハブ６０と、対向する近位端部６１および遠位端部６４を有し、かつハブ６０と固定的に接続される針と、ハブ６０と相互作用的に取付けられ、かつ保持部材７０に接続されるキャップ１０とを含む。
【００３３】
キャップ１０は、管状起動部材３０の環状接触部材３１の環状近位端面と当接する環状遠位端面を含み、キャップ１０が手で操作されると、ハブ６０は遠位に移動し、それにより針の遠位端部６４は膜８２を刺通し、キャップ１０が保持部材７０から外されると、管状起動部材３０を第１の弾性部材３４からの力により、起動されていない位置（図１）から起動されている位置（図２）に移動させ得る。
【００３４】
これで、薬剤供給装置１は使用できる状態となった。ユーザが注入を行なうには、ユーザは近位端部、すなわち環状接触部材３１を皮膚に押し当てる。管状起動部材３０は管状ハウジング２０に対して遠位方向に移動させられ、その相対的移動の際に、針は皮膚を刺通する。管状起動部材３０が管状ハウジング２０に対して最も遠位な位置に到達するときに、注入が行なわれる。すなわち、管状起動部材３０が最も遠位位置に近い所定の注入位置を越えると、注入状態が得られる。この刺通および注入状態は図３に示される。
【００３５】
注入が行なわれた後、ユーザは装置を皮膚から離し、それにより管状起動部材３０は、第１の弾性部材３４によって与えられる力により、管状ハウジング２０に対して近位方向に移動し、最終の状態、すなわちロックされた状態に達する。ロックされた状態では、管状起動部材３０は、図２に示されるように、再び最も近位位置にある。この状態において、管状起動部材３０のうちの近位部分は近位針端部６１を完全に保護し、管状起動部材３０もその位置においてロックされて、近位針端部６１の意図されない利用を防止する。
【００３６】
図４は管状ハウジング２０の断面の斜視図であり、管状延長部２２は管状ハウジング２０の遠位端部に示される。管状ハウジングにはさらに開口２４が設けられ、容器ホルダ５０の半径方向の延長部５１と協働して、容器ホルダを管状ハウジング２０に対して固定的に保持する。さらに、長手内部案内ロッド２１、２３は管状起動部材３０（図示されていない）を案内するよう配置されている。
【００３７】
管状作動部材１００（図９から図１１参照）は、容器ホルダ５０と管状ハウジング２０の遠位端部における管状延長部２２との間で、回転可能に配置される。
【００３８】
図５は、遠位端部から見たキャップ１０の斜視図である。キャップ１０は少なくとも２つの半径方向外側に延在する回し用部材１１、好ましくは２つの羽根状部材を含み、これらは薬剤供給装置を起動させるために、キャップを回して外す場合に、キャップを容易にかつ簡単に掴むことができるよう設けられている。回し用部材１１のさらなる目的は、環状接触部材３１と接することにより、管状起動部材３０が近位方向に動くのを防ぐためにある。代替的に、キャップは管状起動部材の近位に配置されるキャップの部分において、より大きい直径の断面で設けられてもよい。
【００３９】
図６はキャップおよびハブの斜視図を示し、針６１、６４が設けられているハブ６０は、たとえばハブの外面上のねじ山の形の第１の結合手段６３を含み、これは保持部材７０の対応する第１の結合手段７１（たとえば図７および図１３参照）と相互作用的に接続されるよう適合される。ハブはたとえばハブの近位端部における半径方向の凹所の形の第２の結合手段６２を含み、結合手段６２はキャップ１０の半径方向内側の延長部の形の、対応する第２の結合手段１２（図５）と相互作用的に接続される。図面において、第２の結合手段１２，６２の数は４個である。しかし、結合手段１２，６２の数は意図される機能が得られる限り、すなわちキャップからハブに回転運動を伝え、同時にハブが遠位方向に移動できるようにする限り、任意である。
【００４０】
キャップ１０はさらにたとえば内側ねじ山の形の第３の結合手段１３（図５）を含み、第３の結合手段は保持部材７０の対応する第３の結合手段７３と相互作用的に接続される（図７および図１３参照）。第３の結合手段１３は、円柱形状を有して、キャップの遠位方向に向けられる外側シース１４の内側面に配置され、その内径はハブ６０の近位部分の外径よりも僅かに大きく、外径は環状接触部材３１と同軸に配置される、端部シールド４０の内径よりも僅かに小さい。
【００４１】
なお、キャップ１０の内側と保持部材７０の外側７３との間のねじ山は、ハブ６０と保持部材７０の内面との間のねじ山７１，７２と比べて異なるピッチ方向を有する。
【００４２】
ユーザがキャップ１０を回し始めると、この回転によりハブ６０は保持部材７０の中に遠位に捩じり込まれ、それにより注入針６４の鋭利な遠位端部は、容器の膜８２を刺通する。異なるピッチ方向により、キャップ１０は同時に近位において捩じり外され、保持部材とのねじ込まれた接続から解放され、外すことができる。すなわち、２つの動作はキャップの１つの捩じりにより達成される。
【００４３】
好ましくは、ねじ山のピッチは、注入針６４の遠位端部が膜８２へと回転または「穴あけ」するのをできるだけ防ぐために、回す角度が小さくても、ハブが遠位方向に向け長手方向に大きく移動するよう選択される。同時に、キャップ１０と保持部材７０との間のねじ山のピッチは、操作を完了するのにグリップを変える必要がないよう、好ましく操作を行なうためにキャップを約半回転させるだけで済むよう、選択される。
【００４４】
図７は、斜視断面図において、初期状態の薬剤供給装置の近位部分を示す。図面において、主要部、すなわち、キャップ１０、ハブ６０、保持部材７０、および薬剤容器８０、ならびに膜８１，８２が示される。
【００４５】
図８ａ−図８ｃは、本発明に従う薬剤供給装置の内部の断面図であり、図８ａに示される初期の状態から、図８ｂに示される針６４が膜を刺通した状態、すなわち、使用できる状態を経て、図８ｃに示されるロックされた状態、すなわち注入が行なわれた状態を示す。図面において、薬剤容器８０と、膜８２と、ストッパ８３と、駆動手段をなす第２の弾性部材９１を囲むプランジャーロッド９０とが示される。プランジャーロッド９０の近位端部は、ストッパ８３に接する。図面には、プランジャーロッド９０の外面に突出部９２が示され、その機能は以下で説明される。
【００４６】
図９は、本発明に含まれる駆動手段ならびに他の手段である管状ハウジング２０、管状起動部材３０、第１の弾性部材３４、容器ホルダ５０、プランジャーロッド９０、第２の弾性部材９１および管状作動部材１００の分解図である。
【００４７】
図１０は、遠位端部から見た、本発明に含まれる管状作動部材１００の斜視図である。
上記の第１の共同作用手段は、管状起動部材３０の内面の遠位端部上の少なくとも１つの内側に延在する突出部３５（図１２参照）、および管状作動部材１００の外面上の少なくとも１つの溝１０１、１０２、１０３であり、前記半径方向内側に延在する突出部３５は、少なくとも１つの溝内で案内されるよう適合されて、管状起動部材が軸方向に移動した場合に、管状作動部材１００を回転させる。
【００４８】
図１１は、遠位端部から見た、本発明に含まれる管状作動部材１００およびプランジャーロッド９０の斜視図である。
【００４９】
上記の第２の共同作用手段は、管状作動部材１００の内面上の少なくとも１つの張り出し部１０６、およびプランジャーロッド９０の外面上の少なくとも１つの突出部９２であり、前記少なくとも１つの突出部９２は前記少なくとも１つの張り出し部１０６に当接して、プランジャーロッド９０および第２の弾性部材９１を予め張力をかけた状態に保持する。
【００５０】
さらなる実施例において、装置は管状起動部材３０と相互作用的に接続されるロッキング手段を含む。ロッキング手段は管状作動部材１００の少なくとも１つの溝上の柔軟なタング１０４（図１０参照）であり、半径方向内側に延在する突出部３５がタング１０４上に移動させられると、半径方向内側に延在する突出部３５がロックされる。
【００５１】
図１０および図１１を主に参照して、装置の動作が以下に説明される。
予め張力がかけられた状態では、少なくとも１つの突出部９２は張り出し部１０６に当接し、管状起動部材３０の内面の突出部３５は位置１０１にある。
【００５２】
キャップ１０が外されると、起動部材３０は第１の弾性部材３４の近位方向に押され、突出部３５は溝に沿って位置１０１から位置１０２に移動し、遠位端部から見て作動部材１００は反時計回りに回転する。これで、起動部材３０は最も近位な位置にあり、遠位の針６４は膜８２を刺通し、薬剤供給装置は使用できる状態となる。起動部材３０が遠位方向に移動させられると、突出部３５は溝に沿って位置１０２から位置１０３に移動させられ、それにより管状作動部材１００をさらに反時計回りに回転させる。管状作動部材１００の回転の際、突出部９２は張り出し部１０６に沿って移動させられ、最終的に張り出し部１０６から離れ、それにより第２の弾性部材９１によって与えられる力により、張力がかかったプランジャーロッド９０が開放されて近位方向に動き、ストッパ８３に力を与えて、ストッパ８３を近位方向に移動させ、薬剤が供給される。薬剤が供給されて、薬剤供給装置が皮膚から離されると、管状起動部材３０は第１の弾性部材３４と管状作動部材１００の少なくとも１つの溝上のロッキング手段、たとえば柔軟なタング１０４（図１０参照）とにより近位方向に動かされ、半径方向内側に延在する突出部３５がタング１０４上に移動すると、半径方向内側に延在する突出部３５はロックされる。
【００５３】
図１２は本発明に含まれる管状起動部材３０の斜視図である。案内手段３２、３３、３６は管状ハウジング２０（図４に示される）の内部において、対応する案内ロッドと協働するよう適合され、管状起動部材３０が管状ハウジングに対して回転しないように働き、さらに管状起動部材が管状ハウジングに対して軸方向に移動することを可能にする。
【００５４】
図１３は、本発明に含まれる保持部材の斜視図であり、保持部材は内ねじ山７１および外ねじ山７３ならびに支持および装着手段７４、７５および７６を含み、これらは保持部材を容器ホルダ５０内に固定するために配置される。保持部材が固定されると、装着手段７５および７６は開口５２内に保持され（図１４参照）、支持手段７４は容器ホルダの対応するプロファイル５３（図１４参照）と対応する。最後に、図１４は本発明に含まれる容器ホルダ５０の詳細を示す。
【００５５】
前述のおよび図面に示される実施例は本発明の非限定的例としてのみ考えられるべきであり、特許請求の範囲内において変更することができる。
【図１】
0005597729.tif 000002
【図２】
0005597729.tif 000003
【図３】
0005597729.tif 000004
【図４】
0005597729.tif 000005
【図５】
0005597729.tif 000006
【図６】
0005597729.tif 000007
【図７】
0005597729.tif 000008
【図８ａ】
0005597729.tif 000009
【図８ｂ】
0005597729.tif 000010
【図８ｃ】
0005597729.tif 000011
【図９】
0005597729.tif 000012
【図１０】
0005597729.tif 000013
【図１１】
0005597729.tif 000014
【図１２】
0005597729.tif 000015
【図１３】
0005597729.tif 000016
【図１４】
0005597729.tif 000017